(57)【要約】【課題】一対の電極および帯電した粒子を備える表示装置において、表示装置の表示画像の切り替えに要する時間を短くすることが可能な表示装置を提供する。【解決手段】この表示装置１００は、基板１と、複数の画素７と、基板１に画素７毎に設けられる画素電極２９と、画素電極２９と絶縁膜３０を介して対向するように設けられる共通電極３１と、共通電極３１に対向するように設けられる基板１１と、正に帯電しているとともに、黒色を有し、画素電極２９または共通電極３１と基板１１との間に配置される粒子４１とを備え、１つの画素７に対応する共通電極３１の領域には、平面的に見て、複数の開口部３１ａが島状に設けられている。【選択図】図２
2010066539.tif 000002
【特許請求の範囲】
【請求項１】
第１基板と、
複数の画素と、
前記第１基板に前記画素毎に設けられる第１電極と、
前記第１電極と絶縁膜を介して対向するように設けられる第２電極と、
前記第２電極に対向するように設けられる第２基板と、
正または負のいずれか一方に帯電しているとともに、所定の色を有し、前記第１電極または前記第２電極と前記第２基板との間に配置される第１粒子とを備え、
１つの前記画素に対応する前記第２電極の領域には、平面的に見て、複数の開口部が島状に設けられている、表示装置。
【請求項２】
前記第２電極の複数の島状の開口部に対応するように島状に設けられる複数の遮光部をさらに備える、請求項１に記載の表示装置。
【請求項３】
前記複数の開口部は、マトリクス状に配置されている、請求項１または２に記載の表示装置。
【請求項４】
前記複数の開口部は、千鳥格子状に配置されている、請求項１または２に記載の表示装置。
【請求項５】
１つの前記画素に対応する前記複数の島状の開口部の合計の面積は、前記１つの画素に対応する前記第２電極の領域の前記開口部を含む全面積の１／２未満である、請求項１〜４のいずれか１項に記載の表示装置。
【請求項６】
１つの前記画素に対応する前記複数の島状の開口部の合計の面積は、前記１つの画素に対応する前記第２電極の領域の前記開口部を含む全面積の２０％以下である、請求項５に記載の表示装置。
【請求項７】
前記第１電極と第２電極との間に第１の極性の電圧を印加することにより、前記第２電極の開口部上に前記第１粒子が集合し、
前記第１電極と前記第２電極との間に前記第１の極性の電圧と異なる第２の極性の電圧を印加することにより、前記第２電極の開口部以外の領域上に前記第１粒子が集合するように構成されている、請求項１〜６のいずれか１項に記載の表示装置。
【請求項８】
前記第１電極と前記第２電極との間に前記第１の極性の電圧を印加することにより、前記１つの画素に対応する前記第２電極の開口部上に前記第１粒子が集合した際の前記第１粒子が集合する面積は、平面的に見て、前記１つの画素に対応する前記第２電極の領域の前記開口部を含む全面積の１／２未満である、請求項７に記載の表示装置。
【請求項９】
前記第１粒子と帯電している電荷の極性が異なる第２粒子をさらに備え、
前記第１粒子は、黒または白のいずれか一方の色を有するとともに、前記第２粒子は、前記第１粒子とは異なり、黒または白のいずれか他方の色を有する、請求項１〜８のいずれか１項に記載の表示装置。
【請求項１０】
前記第１電極には、凹凸が形成されており、前記第１電極で反射される光により前記第１粒子と異なる色が表示されるように構成されている、請求項１〜８のいずれか１項に記載の表示装置。
【発明の詳細な説明】
【技術分野】
【０００１】
本発明は、表示装置に関し、特に、一対の電極および帯電した粒子を備える表示装置に関する。
【背景技術】
【０００２】
従来、一対の電極および帯電した粒子を備える表示装置が知られている（たとえば、特許文献１参照）。上記特許文献１に開示された表示装置では、一対の電極（第１電極と第２電極）とが隣接するように配置され、第１電極と第２電極とには、それぞれ、極性の異なる電圧が印加されるように構成されている。これにより、帯電した粒子は、第１電極上に移動される。なお、第１電極の表面積は、平面的に見て、第２電極の表面積よりも小さくなるように構成されている。これにより、たとえば粒子が第１電極上に配置される場合には、表面積の比較的大きい第２電極の色を観察者が認識するとともに、粒子が第２電極上に配置される場合には、第２電極上に広がった粒子の色を観察者が認識する。
【特許文献１】特開２００４−２５２１７０号公報
【発明の開示】
【発明が解決しようとする課題】
【０００３】
しかしながら、上記特許文献１に記載の表示装置では、第１電極と第２電極とは隣接するように配置されているので、第２電極の第１電極とは反対側の位置に配置されていた粒子が、第１電極上に移動する際の移動距離が大きくなる。このため、粒子が第１電極上に移動するのに比較的時間を要するという不都合がある。このため、表示装置の表示画像の切り替えに時間がかかるという問題点がある。
【０００４】
この発明は、上記のような課題を解決するためになされたものであり、この発明の１つの目的は、一対の電極および帯電した粒子を備える表示装置において、表示装置の表示画像の切り替えに要する時間を短くすることが可能な表示装置を提供することである。
【課題を解決するための手段】
【０００５】
上記目的を達成するために、この発明の一の局面における表示装置は、第１基板と、複数の画素と、第１基板に画素毎に設けられる第１電極と、第１電極と絶縁膜を介して対向するように設けられる第２電極と、第２電極に対向するように設けられる第２基板と、正または負のいずれか一方に帯電しているとともに、所定の色を有し、第１電極または第２電極と第２基板との間に配置される第１粒子とを備え、１つの画素に対応する第２電極の領域には、平面的に見て、複数の開口部が島状に設けられている。
【０００６】
この一の局面による表示装置では、上記のように、第１電極と対向するように第２電極を設けるとともに、１つの画素に対応する第２電極の領域に、平面的に見て、島状に複数の開口部を設けることによって、第２電極の開口部以外の表面と、開口部に対応する第１電極上の部分の表面との間の距離が、第１電極と第２電極とが隣接する場合と比べて、小さくなる。これにより、第１粒子が第２電極の表面上から第２電極の開口部上（開口部に対応する第１電極上の部分）までに移動する際の移動距離が小さくなるので、一対の電極および帯電した粒子を備える表示装置において、表示装置の表示画像の切り替えに要する時間を短くすることができる。
【０００７】
上記一の局面による表示装置において、好ましくは、第２電極の複数の島状の開口部に対応するように島状に設けられる複数の遮光部をさらに備える。このように構成すれば、第１粒子が第２電極の表面上に移動した際に、第２電極の表面上の第１粒子により所定の色（たとえば黒色）を表示するとともに、第２電極の開口部上では遮光部の色（たとえば黒色）が表示されるので、第１粒子および遮光部の色とは異なる色（たとえば白色）が表示されるのを抑制することができる。
【０００８】
上記一の局面による表示装置において、好ましくは、複数の開口部は、マトリクス状に配置されている。このように構成すれば、複数の開口部が第２電極上においてランダムに形成され、開口部間の距離が大きくなる場合と異なり、複数の開口部の間隔が均等になるので、第１粒子が第２電極の表面上から第２電極の開口部上（第１電極上）までに移動する時間を短くすることができる。
【０００９】
上記一の局面による表示装置において、好ましくは、複数の開口部は、千鳥格子状に配置されている。このように構成すれば、複数の開口部をマトリクス状に配置する場合と比べて、開口部間の距離が小さくなるので、第１粒子が第２電極の表面上から第２電極の開口部上（第１電極上）までに移動する距離がより小さくなる。これにより、表示装置の表示画像の切り替えに要する時間をより短くすることができる。
【００１０】
上記一の局面による表示装置において、好ましくは、１つの画素に対応する複数の島状の開口部の合計の面積は、１つの画素に対応する第２電極の領域の開口部を含む全面積の１／２未満である。このように構成すれば、第２電極の開口部以外の表面に第１粒子が配置された場合、第１粒子の所定の色の面積の方が第２電極の開口部から見える第１電極の色の面積よりも大きいので、観察者に第１粒子の所定の色を認識させることができる。
【００１１】
この場合、好ましくは、１つの画素に対応する複数の島状の開口部の合計の面積は、１つの画素に対応する第２電極の領域の開口部を含む全面積の２０％以下である。このように構成すれば、第２電極の開口部以外の表面に第１粒子が配置された場合、確実に、観察者に第１粒子の所定の色を認識させることができる。
【００１２】
上記一の局面による表示装置において、好ましくは、第１電極と第２電極との間に第１の極性の電圧を印加することにより、第２電極の開口部上に第１粒子が集合し、第１電極と第２電極との間に第１の極性の電圧と異なる第２の極性の電圧を印加することにより、第２電極の開口部以外の領域上に第１粒子が集合するように構成されている。このように構成すれば、第１の極性の電圧または第１の極性の電圧と異なる第２の極性の電圧が第１電極に印加されることにより発生する引力または斥力により、第１粒子を容易に移動させることができる。
【００１３】
この場合、好ましくは、第１電極と第２電極との間に第１の極性の電圧を印加することにより、１つの画素に対応する第２電極の開口部上に第１粒子が集合した際の第１粒子が集合する面積は、平面的に見て、１つの画素に対応する第２電極の領域の開口部を含む全面積の１／２未満である。このように構成すれば、第２電極の開口部以外の表面に第１粒子が配置された場合、第１粒子の所定の色の面積の方が第２電極の開口部から見える第１電極の色の面積よりも大きくなるので、観察者に第１粒子の所定の色を認識させることができる。
【００１４】
上記一の局面による表示装置において、好ましくは、第１粒子と帯電している電荷の極性が異なる第２粒子をさらに備え、第１粒子は、黒または白のいずれか一方の色を有するとともに、第２粒子は、第１粒子とは異なり、黒または白のいずれか他方の色を有する。このように構成すれば、第２電極の開口部以外の表面に第１粒子を配置するとともに、第２電極の開口部上に第２粒子を配置することにより、たとえば、１つの画素に対応する複数の島状の開口部の合計の面積を、１つの画素に対応する第２電極の領域の面積よりも小さくした場合、観察者に第１粒子の黒または白のいずれか一方の色を認識させることができる。同様に、第２電極の開口部以外の表面に第２粒子を配置するとともに、第２電極の開口部上に第１粒子を配置することにより、観察者に第２粒子の黒または白のいずれか他方の色を認識させることができる。
【００１５】
上記一の局面による表示装置において、好ましくは、第１電極には、凹凸が形成されており、第１電極で反射される光により第１粒子と異なる色が表示されるように構成されている。このように構成すれば、第１電極に形成される凹凸により、第１電極が平坦な場合と比べて、第１電極によって光がより反射されるので、第１粒子の色とは異なる色（たとえば白色）の表示を明るくすることができる。
【発明を実施するための最良の形態】
【００１６】
以下、本発明の実施形態を図面に基づいて説明する。
【００１７】
（第１実施形態）
図１は、本発明の第１実施形態による表示装置の平面図である。図２は、本発明の第１実施形態による表示装置の画素の平面図である。図３は、図２の２００−２００線に沿った断面図である。まず、図１〜図３を参照して、本発明の第１実施形態による表示装置１００の構成について説明する。
【００１８】
第１実施形態による表示装置１００は、図１に示すように、ガラスからなる基板１上に、表示部２、Ｖドライバ３およびＨドライバ４が設けられている。なお、基板１は、本発明の「第１基板」の一例である。Ｖドライバ３およびＨドライバ４には、それぞれ、複数のゲート線５および複数のデータ線６が接続されている。ゲート線５とデータ線６とが交差する位置には、画素７が配置されている。基板１には、駆動ＩＣ８が設けられており、Ｖドライバ３およびＨドライバ４は、駆動ＩＣ８に接続されている。表示部２は、駆動ＩＣ８に接続されており、後述する共通電極３１に共通電位（ＣＯＭ）を供給するように構成されている。
【００１９】
画素７の断面構造としては、図３に示すように、基板１の表面上には、バッファ膜２１が形成されている。このバッファ膜２１は、シリコン酸化膜やシリコン窒化膜などからなる。バッファ膜２１の表面上の画素選択用の薄膜トランジスタ（ＴＦＴ）２２が形成される領域には、能動層２３が形成されている。この能動層２３は、図２に示すように、平面的に見て、Ｕ字状にゲート線５を横切るように形成されており、ポリシリコンなどからなる。また、図３に示すように、バッファ膜２１の表面上には、能動層２３を覆うように絶縁膜２４が形成されている。なお、絶縁膜２４の能動層２３上に位置する部分は、ゲート絶縁膜として機能する。この絶縁膜２４は、シリコン酸化膜やシリコン窒化膜からなる。ゲート絶縁膜として機能する絶縁膜２４の表面上には、ゲート電極として機能するゲート線５が形成されている。このゲート線５は、クロムやモリブデンを含む金属などからなる。絶縁膜２４およびゲート線５の表面上には、層間絶縁膜２５が形成されている。
【００２０】
層間絶縁膜２５には、能動層２３のソース領域２３ａを露出するためのコンタクトホール２４ａおよびドレイン領域２３ｂを露出するためのコンタクトホール２４ｂが形成されている。コンタクトホール２４ａを介してソース領域２３ａに接続するとともに、層間絶縁膜２５の表面上に延びるようにデータ線（ソース電極）６が形成されている。このデータ線６は、アルミニウムやアルミニウム合金を含む金属などからなる。コンタクトホール２４ｂを介してドレイン領域２３ｂに接続するとともに、層間絶縁膜２５の表面上に延びるようにドレイン電極２６が形成されている。このドレイン電極２６は、アルミニウムやアルミニウム合金を含む金属などからなる。ドレイン電極２６および層間絶縁膜２５の表面上には、絶縁膜からなるパッシベーション膜２７が形成されている。薄膜トランジスタ２２は、ソース領域２３ａおよびドレイン領域２３ｂを含む能動層２３と、データ線（ソース電極）６と、ドレイン電極２６と、ゲート電極（ゲート線５）とから構成されている。この薄膜トランジスタ２２は、後述する画素電極２９に接続されている。
【００２１】
パッシベーション膜２７の表面上には、絶縁膜（有機膜）からなる平坦化膜２８が形成されている。パッシベーション膜２７および平坦化膜２８には、それぞれ、コンタクトホール２７ａおよび２８ａが形成されている。このコンタクトホール２７ａおよび２８ａは、ドレイン電極２６を露出させるために形成されている。平坦化膜２８の表面上には、ＩＴＯ（酸化インジウムスズ）などの透明電極からなる画素電極２９が形成されている。なお、画素電極２９は、本発明の「第１電極」の一例である。この画素電極２９は、コンタクトホール２７ａおよび２８ａを介してドレイン電極２６と接続されている。この画素電極２９は、画素７毎に設けられており、表示信号に応じた電圧が印加されるように構成されている。また、画素電極２９は、アルミニウムからなり、表示装置１００の表面から入射した光を反射する反射層としても機能する。
【００２２】
画素電極２９の表面上には、シリコン窒化膜などの透明な部材からなる絶縁膜３０が形成されている。絶縁膜３０の表面上には、ＩＴＯ（酸化インジウムスズ）などの透明電極からなる共通電極３１が形成されている。なお、共通電極３１は、本発明の「第２電極」の一例である。
【００２３】
ここで、第１実施形態では、図２に示すように、共通電極３１には、平面的に見て、マトリクス状（行列状）に配置される複数の開口部３１ａが設けられている。開口部３１ａは、一辺の長さＬ１が約５μｍの正方形であるとともに、開口部３１ａ同士の間隔Ｌ２は、約２０μｍである。図２では、１つの画素７に対応する共通電極３１の領域に、１２個の開口部３１ａが設けられている例を示しているが、開口部３１ａの数は、１２個以外でもよい。なお、第１実施形態では、１つの画素７に対応する共通電極３１の領域に設けられる開口部３１ａの合計の面積は、１つの画素７に対応する共通電極３１の領域の開口部３１ａを含む全面積の２０％以下になるように構成されている。
【００２４】
図３に示すように、共通電極３１（絶縁膜３０）と対向するように、ガラスからなる基板１１が設けられている。なお、基板１１は、本発明の「第２基板」の一例である。共通電極３１（絶縁膜３０）と基板１１との間には、無色透明であるとともに、絶縁性を有する液体４０が満たされている。そして、液体４０中には、正電荷に帯電している黒色の粒子４１が含まれている。なお、黒色の粒子は、ポリスチレンを黒色に着色したものである。粒子４１は、本発明の「第１粒子」の一例であるとともに、粒子４１に着色される黒色は、本発明の「所定の色」の一例である。
【００２５】
図４および図５は、本発明の第１実施形態による表示装置の動作を説明するための図である。次に、図４および図５を参照して、表示装置１００の動作について説明する。
【００２６】
図４に示すように、共通電極３１が、たとえば０Ｖの電位に調整された状態において、画素電極２９に＋Ｖの電圧が印加される。これにより、共通電極３１の開口部３１ａから基板１１に向かって電界が発生する。また、画素電極２９に印加される＋Ｖの電圧は、本発明の「第２の極性の電圧」の一例である。そして、第１実施形態では、黒色の粒子４１が正の電荷を帯電しているので、粒子４１は電界を避けるように共通電極３１の開口部３１ａ以外の表面上に移動する。１つの画素７に対応する共通電極３１の開口部３１ａの合計の面積は、１つの画素７に対応する共通電極３１の領域の開口部３１ａを含む全面積の２０％以下であるので、共通電極３１の表面上に移動した粒子４１の黒色の面積と、共通電極３１の開口部３１ａから見える絶縁膜３０（画素電極２９）の色の面積とでは、粒子４１の黒色の方が大きくなり、観察者には黒色が認識される。
【００２７】
次に、図５に示すように、共通電極３１が、たとえば０Ｖの電位に調整された状態において、画素電極２９に−Ｖの電圧が印加される。なお、画素電極２９に印加される−Ｖの電圧は、本発明の「第１の極性の電圧」の一例である。これにより、第１実施形態では、正の電荷を帯電している黒色の粒子４１は、画素電極２９の負の電圧に引き寄せられ、共通電極３１の開口部３１ａ上に移動する。１つの画素７に対応する共通電極３１の開口部３１ａの合計の面積は、１つの画素７に対応する共通電極３１の面積の開口部３１ａを含む全２０％以下であるので、第１実施形態では、共通電極３１の開口部３１ａ上に移動した粒子４１の黒色の面積と、共通電極３１の開口部３１ａ以外の表面の色の面積とでは、開口部３１ａ以外の表面の色の面積の方が大きくなり、観察者にはアルミニウムからなる画素電極２９によって反射された光（白色）が認識される。
【００２８】
第１実施形態では、上記のように、画素電極２９と対向するように共通電極３１を設けるとともに、１つの画素７に対応する共通電極３１の領域に、平面的に見て、島状に複数の開口部３１ａを設けることによって、共通電極３１の開口部３１ａ以外の表面と、開口部３１ａに対応する画素電極２９上の部分の表面との間の距離が、たとえば画素電極と共通電極とが隣接する場合と比べて、小さくなる。これにより、粒子４１が共通電極３１の表面上から開口部３１ａ上（開口部３１ａに対応する画素電極２９上の部分）までに移動する距離が小さくなるので、表示装置１００の表示画像の切り替えに要する時間を短くすることができる。
【００２９】
また、第１実施形態では、上記のように、複数の開口部３１ａをマトリクス状に配置することによって、複数の開口部３１ａが共通電極３１上においてランダムに形成され、開口部３１ａ間の距離が大きくなる場合と異なり、複数の開口部３１ａの間隔が均等になるので、粒子４１が共通電極３１の表面上から開口部３１ａ上（画素電極２９上）までに移動する時間を短くすることができる。
【００３０】
また、第１実施形態では、上記のように、１つの画素７に対応する複数の島状の開口部３１ａの合計の面積を１つの画素７に対応する共通電極３１の領域の開口部３１ａを含む全面積の２０％以下になるように構成することによって、共通電極３１の開口部３１ａ以外の表面に粒子４１が配置された場合、確実に、観察者に粒子４１の黒色を認識させることができる。
【００３１】
また、第１実施形態では、上記のように、共通電極３１の電位を０Ｖの電位に固定するとともに、画素電極２９に共通電極３１の電位よりも電位の低い−Ｖの電圧を印加することにより、開口部３１ａ上に粒子４１が集合し、画素電極２９に共通電極３１の電位よりも電位の高い＋Ｖの電圧を印加することにより、共通電極３１の開口部３１ａ以外の領域上に粒子４１が集合するように構成することによって、極性の異なる＋Ｖおよび−Ｖの電圧が画素電極２９に印加されることにより発生する引力または斥力により、粒子４１を容易に移動させることができる。
【００３２】
また、第１実施形態では、上記のように、画素電極２９に−Ｖの電圧を印加することにより、１つの画素７に対応する共通電極３１の開口部３１ａ上に粒子４１が集合した際の粒子４１が集合する面積は、平面的に見て、１つの画素７に対応する共通電極３１の面積よりも小さくなるように構成する。これにより、共通電極３１の開口部３１ａ以外の表面に粒子４１が配置された場合、粒子４１の黒色の面積の方が開口部３１ａから見える画素電極２９の色の面積よりも大きくなるので、観察者に粒子４１の黒色を認識させることができる。
【００３３】
（第２実施形態）
図６は、本発明の第２実施形態による表示装置の断面図である。図６を参照して、この第２実施形態では、上記した第１実施形態とは異なり、共通電極３１の開口部３１ａと対向するように遮光部１２が設けられている表示装置１０１について説明する。
【００３４】
この第２実施形態による表示装置１０１では、図６に示すように、共通電極３１の開口部３１ａと対向するように、基板１１の表面上に樹脂からなる黒色の遮光部１２が設けられている。また、第２実施形態では、正の電荷を帯電した黒色の粒子４１と、負の電荷を帯電したポリスチレンからなる白色の粒子４２とが基板１１と、共通電極３１（絶縁膜３０）との間に配置されている。なお、粒子４２は、本発明の「第２粒子」の一例である。また、第２実施形態のその他の構成は、上記第１実施形態と同様である。
【００３５】
図７および図８は、本発明の第２実施形態による表示装置の動作を説明するための図である。次に、図７および図８を参照して、表示装置１０１の動作について説明する。
【００３６】
図７に示すように、共通電極３１が、たとえば０Ｖの電位に調整された状態において、画素電極２９に＋Ｖの電圧が印加される。これにより、共通電極３１の開口部３１ａから基板１１に向かって電界が発生する。そして、白色の粒子４１が負の電荷を帯電しているので、粒子４２は電界に引き寄せられ、共通電極３１の開口部３１ａ上に移動するとともに、黒色の粒子４１は正の電荷を帯電しているので、粒子４１は電界を避けるように開口部３１ａ以外の表面上に移動する。共通電極３１の開口部３１ａは、基板１１側から平面的に見て、遮光部１２に覆われているので、遮光部１２の黒色と、共通電極３１の表面上に移動した粒子４１の黒色とにより、観察者には黒色が認識される。
【００３７】
次に、図８に示すように、共通電極３１が、たとえば０Ｖの電位に調整された状態において、画素電極２９に−Ｖの電圧が印加される。これにより、正の電荷を帯電している黒色の粒子４１は、画素電極２９の負の電圧に引き寄せられ、共通電極３１の開口部３１ａ上に移動するとともに、負の電荷を帯電している白色の粒子４２は、画素電極２９の負の電圧を避けるように、開口部３１ａ以外の表面上に移動する。１つの画素７に対応する遮光部１２（開口部３１ａ）の面積は、１つの画素７に対応する共通電極３１の領域の開口部３１ａを含む全面積の２０％以下であるので、遮光部１２の黒色の面積と、共通電極３１上の粒子４２の白色の面積とでは、粒子４２の白色の面積の方が大きくなり、観察者には白色が認識される。
【００３８】
第２実施形態では、上記のように、共通電極３１の複数の島状の開口部３１ａに対応するように島状に設けられる複数の遮光部１２を備えることによって、粒子４１が共通電極３１の表面上に移動した際に、共通電極３１の表面上の粒子４１により黒色が表示されるとともに、共通電極３１の開口部３１ａ上では遮光部１２の黒色が表示されるので、白色が表示されるのを抑制することができる。
【００３９】
また、第２実施形態では、上記のように、負の電荷を帯電している白色の粒子４２を備えることによって、共通電極３１の開口部３１ａ以外の表面に粒子４１を配置するとともに、共通電極３１の開口部３１ａ上に粒子４２を配置することにより、１つの画素７に対応する複数の島状の開口部３１ａの合計の面積が１つの画素７に対応する共通電極３１の領域の面積よりも小さいので、観察者に粒子４１の黒色を認識させることができる。同様に、共通電極３１の開口部３１ａ以外の表面に粒子４２を配置するとともに、共通電極３１の開口部３１ａ上に粒子４１を配置することにより、観察者に粒子４２の白色を認識させることができる。
【００４０】
なお、第２実施形態のその他の効果は、上記第１実施形態と同様である。
【００４１】
（第３実施形態）
図９は、本発明の第３実施形態による表示装置の断面図である。図９を参照して、この第３実施形態では、上記した共通電極３１の開口部３１ａがマトリクス状に設けられている第１実施形態とは異なり、共通電極１３１の開口部１３１ａが千鳥格子状に設けられている表示装置１０２について説明する。
【００４２】
この第３実施形態による表示装置１０２では、共通電極１３１の開口部１３１ａが千鳥格子状に設けられているとともに、斜め方向に隣接する開口部１３１ａ同士の間隔Ｌ３は、上記第１実施形態の場合（２０μｍ）よりも小さくなるように構成されている。なお、上記第１実施形態と同様に、開口部１３１ａは、一辺の長さＬ１が約５μｍの正方形であるとともに、横方向または縦方向に隣接する開口部１３１ａ同士の間隔Ｌ２は、約２０μｍである。また、共通電極１３１は、本発明の「第２電極」の一例である。また、第３実施形態のその他の構成は、上記第１実施形態と同様である。
【００４３】
第３実施形態では、上記のように、複数の開口部１３１ａを千鳥格子状に配置することによって、複数の開口部１３１ａを上記第１実施形態のようにマトリクス状に配置する場合（移動距離：Ｌ２）と比べて、粒子４１が共通電極１３１の表面上から共通電極１３１の開口部１３１ａ上（画素電極２９上）までに移動する際の移動距離Ｌ３がより小さくなるので、表示装置１０２の表示画像の切り替えに要する時間をより短くすることができる。
【００４４】
なお、第３実施形態のその他の効果は、上記第１実施形態と同様である。
【００４５】
（第４実施形態）
図１０は、本発明の第４実施形態による表示装置の断面図である。図１０を参照して、この第４実施形態では、上記した第１実施形態とは異なり、画素電極１２９に凹凸１２９ａが設けられている表示装置１０３について説明する。
【００４６】
この第４実施形態による表示装置１０３では、上記した平坦な形状に形成されている第１実施形態の画素電極２９（図３参照）とは異なり、画素電極１２９に凹凸１２９ａを形成し、画素電極１２９で散乱反射される光により白色が表示されるように構成されている。なお、画素電極１２９は、本発明の「第１電極」の一例である。また、第４実施形態のその他の構成は、上記第１実施形態と同様である。
【００４７】
第４実施形態では、上記のように、画素電極１２９に凹凸１２９ａを形成することによって、画素電極が平坦な場合と比べて、画素電極１２９によって光がより反射されるので、白色の表示を明るくすることができる。
【００４８】
なお、第４実施形態のその他の効果は、上記第１実施形態と同様である。
【００４９】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００５０】
たとえば、上記第１〜第４実施形態では、黒または白の粒子により画像を表示する例を示したが、本発明はこれに限らず、粒子の色を黒または白以外にしてもよい。
【００５１】
また、上記第１〜第４実施形態では、画素毎に設けられる画素電極上に開口部が設けられた共通電極を配置する例を示したが、本発明はこれに限らず、共通電極上に画素毎に設けられ、開口部を有する画素電極を配置してもよい。
【００５２】
また、上記第１〜第４実施形態では、黒色の粒子が正電荷を帯電している例を示したが、本発明はこれに限らず、黒色の粒子が負電荷を帯電していてもよい。
【００５３】
また、上記第１〜第４実施形態では、画素電極に＋Ｖおよび−Ｖの電圧が印加される例を示したが、本発明はこれに限らず、画素電極に＋Ｖおよび−Ｖ以外の極性の異なる電圧を印加しても良い。
【００５４】
また、上記第１〜第４実施形態では、共通電極が０Ｖの電位に固定される例を示したが、本発明はこれに限らず、共通電極を０Ｖ以外の電位に固定してもよい。なお、共通電極が０Ｖ以外の電位に固定される場合、画素電極に印加される電圧は、共通電極が固定される電位より高い電位と低い電位とを有する電圧であればよく、たとえば、正側（負側）の異なる２つの電圧が印加されるように構成してもよい。さらに、共通電極の電位を固定しないで、高い電位と低い電位とで交互に変わるようにして、高い電位および低い電位のどちらか一方の電位において、例えば黒色の表示の画素を駆動し、他方の電位において白色の表示の画素を駆動するようにしてもよい。
【００５５】
また、上記第１〜第４実施形態では、画素電極により光を反射する例を示したが、本発明はこれに限らず、画素電極とは別に反射層を設けるようにしてもよい。この場合、電極はＩＴＯ等の透明電極とすることができる。
【図面の簡単な説明】
【００５６】
【図１】本発明の第１実施形態による表示装置の平面図である。
【図２】本発明の第１実施形態による表示装置の画素の平面図である。
【図３】図２の２００−２００線に沿った断面図である。
【図４】本発明の第１実施形態による表示装置の動作を説明するための図である。
【図５】本発明の第１実施形態による表示装置の動作を説明するための図である。
【図６】本発明の第２実施形態による表示装置の断面図である。
【図７】本発明の第２実施形態による表示装置の動作を説明するための図である。
【図８】本発明の第２実施形態による表示装置の動作を説明するための図である。
【図９】本発明の第３実施形態による表示装置の断面図である。
【図１０】本発明の第４実施形態による表示装置の断面図である。
【符号の説明】
【００５７】
１  基板（第１基板）
７  画素
１１  基板（第２基板）
１２  遮光部
２９、１２９  画素電極（第１電極）
３０  絶縁膜
３１、１３１  共通電極（第２電極）
３１ａ、１３１ａ  開口部
４１  粒子（第１粒子）
４２  粒子（第２粒子）
１２９ａ  凹凸
【図１】
2010066539.tif 000003
【図２】
2010066539.tif 000004
【図３】
2010066539.tif 000005
【図４】
2010066539.tif 000006
【図５】
2010066539.tif 000007
【図６】
2010066539.tif 000008
【図７】
2010066539.tif 000009
【図８】
2010066539.tif 000010
【図９】
2010066539.tif 000011
【図１０】
2010066539.tif 000012